(57)【要約】【課題】  接触部に対して直交する方向の衝撃を吸収できると共に、比較的大電流を流すことができる基板取付型電気コネクタを提供する。【解決手段】  基板取付型電気コネクタ１の可撓連結部は、接触部（基板部）３１の一側縁から曲げられた後、接触部３１とほぼ平行な方向に延びる第１延長部３４と、接触部３１の他側縁から曲げられた後、接触部３１とほぼ平行な方向に第１延長部３４とは逆方向に延びる第２延長部３６とを有している。第１及び第２延長部３４，３６の少なくとも一方が、基板接続部３８に連結されている。【選択図】      図４
2005340024.tif 000002
【特許請求の範囲】
【請求項１】
第１ハウジングと、該第１ハウジング上に位置する第２ハウジングと、複数のコンタクトとを具備し、該コンタクトの各々が、前記第２ハウジングに保持されると共に相手コンタクトに接触する接触部と、前記第１ハウジングに保持されると共に回路基板に接続される基板接続部と、前記接触部を前記基板接続部に対して遊動可能にする可撓連結部とを有する基板取付型電気コネクタにおいて、
前記可撓連結部は、前記接触部の一側縁から曲げられた後、前記接触部とほぼ平行な方向に延びる第１延長部と、前記接触部の他側縁から曲げられた後、前記接触部とほぼ平行な方向に前記第１延長部とは逆方向に延びる第２延長部とを有し、
前記第１及び第２延長部の少なくとも一方が、前記基板接続部に連結されることを特徴とする基板取付型電気コネクタ。
【請求項２】
前記第２ハウジングの上面、両側面及び両端面を覆って前記第２ハウジングの移動を規制する金属製のソルダペグを、前記第１ハウジングに取り付けたことを特徴とする請求項１記載の基板取付型電気コネクタ。
【発明の詳細な説明】
【技術分野】
【０００１】
本発明は、相手コンタクトに接触する接触部が、回路基板に接続される基板接続部に対して遊動可能に構成されている基板取付型電気コネクタに関する。
【背景技術】
【０００２】
一般に、携帯電話機に内蔵されるバッテリコネクタ（バッテリパックに内蔵されたもの）は、携帯電話機の本体側の回路基板上に実装された基板取付型電気コネクタ（以下、単に電気コネクタという）と嵌合接続するようになっている。
従来、この種の電気コネクタとして、例えば、図１１に示すものが知られている（特許文献１参照）。
【０００３】
この電気コネクタ１０１は、回路基板ＰＣＢ上に実装されるハウジング１１０と、このハウジング１０１に取り付けられた複数のコンタクト１２０とを具備している。そして、各コンタクト１２０は、略矩形状の基板部１２１と、基板部１２１から上方に延び、ハウジング１１０に圧入固定される圧入固定部１２２と、基板部１２１の前端（図１１における右端）の上部から前方に延びる接触部１２３とを備えている。接触部１２３は、平板状のタブ型に形成され、両主面がコンタクト１２０の配列方向（図１１において紙面に対して直交する方向）に対して直交するように、ハウジング１１０の前端面よりも前方に突出している。また、基板部１２１の後端の下部からは、回路基板ＰＣＢに半田接続される基板接続部１２４が下方に向けて延びている。
【０００４】
そして、電気コネクタ１０１は、相手バッテリコネクタ１３０に嵌合接続される。これにより、コンタクト１２０の接触部１２３が相手バッテリコネクタ１３０の相手コンタクト１３１に受容されて接触し、回路基板ＰＣＢとバッテリとが電気的に接続されるのである。
また、相手バッテリコネクタに嵌合接続される他の電気コネクタ（以下、として、例えば、図１２に示すもの（特許文献２参照）も知られている。
【０００５】
この電気コネクタ２０１は、回路基板（図示せず）上に実装されるハウジング２１０と、このハウジング２１０に取り付けられた複数のコンタクト２２０とを具備している。そして、各コンタクト２２０は、ハウジング２１０に圧入固定される圧入固定部２２１と、圧入固定部２２１から上方に延び、相手コンタクト（図示せず）と接触する接触部２２２と、圧入固定部２２１から下方に延び、回路基板（図示せず）に半田接続される基板接続部２２３とを具備している。接触部２２２は、平板状のタブ型に形成され、両主面がコンタクト２２０の配列方向（図１２において左右方向）に対して直交するように、ハウジング２１０の上端面よりも上方に突出している。電気コネクタ２０１は、相手バッテリコネクタ（図示せず）に嵌合接続される。これにより、コンタクト２２０の接触部２２２が相手バッテリコネクタの相手コンタクトに受容されて接触し、回路基板とバッテリとが電気的に接続されるのである。
【０００６】
しかしながら、これらの電気コネクタ１０１，２０１にあっては、例えば、電気コネクタ１０１，２０１を搭載した携帯電話が落下すること等によって、接触部１２３，２２２の主面に対して直交する方向に衝撃が加わった場合には、接触部１２３，２２２が可動するようになっていないため、ハウジング１１０，２１０やコンタクト１２０，２２０を損傷するおそれがあった。
この問題に対して、接触部を可動するようにした、例えば、図１３（特許文献３参照）に示す電気コネクタが知られている。
この電気コネクタ３０１は、回路基板（図示せず）上に実装される第１ハウジング３１０と、第１ハウジング３１０の上面上に位置する第２ハウジング３２０と、複数のコンタクト３３０とを具備している。
【０００７】
ここで、各コンタクト３３０は、第２ハウジング３２０の圧入固定用通路３２１に圧入固定される第１圧入固定板部３３１と、第１圧入固定板部３３１から前方（図１３における左方）に延びる接触部３３２と、第１ハウジング３１０の圧入固定用孔３１１に圧入固定される第２圧入固定板部３３４と、第１圧入固定板部３３１と第２圧入固定板部３３４との間を連結する可撓連結部３３３と、第２圧入固定板部３３４から下方に延びる基板接続部３３５とを具備している。可撓連結部３３３は、上下方向に延びる前後に湾曲した構造で形成され、可撓連結部３３３の下方部分は、第１ハウジング３１０に形成された第１キャビティ３１２内に位置し、可撓連結部３３３の上方部分は、第２ハウジング３２０に形成された第２キャビティ３２２内に位置している。
【０００８】
接触部３３２は、平板状のタブ型に形成され、両主面がコンタクト３３０の配列方向（図１３において紙面に対して直交する方向）に対して直交するように、前方に突出している。また、第１ハウジング３１０の下面から下方に突出して回路基板（図示せず）に半田接続されるようになっている。そして、接触部３３２は、第１圧入固定板部３３１と第２圧入固定板部３３４との間を連結する可撓連結部３３３により、基板接続部３３５に対して遊動可能に構成され、図１３中の矢印Ｘで示す後方向への移動、矢印Ｙで示す前方向への移動、矢印Ｚで示す上方向への移動、及びコンタクト３３０の配列方向への移動ができるようになっている。
【０００９】
従って、接触部３３２の主面に対して直交する方向（コンタクト３３０の配列方向）に衝撃が加わった場合には、接触部３３２がこの方向に移動できるため、第１ハウジング３１０、第２ハウジング３２０やコンタクト３３０を損傷するおそれを回避することができる。
【特許文献１】特開２０００−２３５８７８号公報
【特許文献２】特開２００２−１３４１９６号公報
【特許文献３】実開平６−４４０６３号公報
【発明の開示】
【発明が解決しようとする課題】
【００１０】
しかしながら、図１３に示した電気コネクタ３０１にあっては、以下の問題点があった。
即ち、接触部３３２の基板接続部３３５に対する遊動性を高めるためには可撓連結部３３３の可撓性を向上させる必要があるところ、この可撓連結部３３３の可撓性を向上させるためにはその可撓連結部３３３の全長を長くする必要がある。しかし、可撓連結部３３３は、接触部３３２と同一平面内に上下方向に延びる前後に湾曲した構造で形成されているため、可撓連結部３３３の全長を長くするためには幅を小さくしなければならず、大電流（最大３Ａ程度）を流すことができなかった。図１３に示す電気コネクタ３０１の可撓連結部３３３の幅は、基板接続部３３５の幅よりも細く、大電流を流すことができなかった。
従って、本発明は上述の問題点に鑑みてなされたものであり、その目的は、接触部に対して直交する方向の衝撃を吸収できると共に、比較的大電流を流すことができる基板取付型電気コネクタを提供することにある。
【課題を解決するための手段】
【００１１】
上記問題を解決するため、本発明のうち請求項１に係る基板取付型電気コネクタは、第１ハウジングと、該第１ハウジング上に位置する第２ハウジングと、複数のコンタクトとを具備し、該コンタクトの各々が、前記第２ハウジングに保持されると共に相手コンタクトに接触する接触部と、前記第１ハウジングに保持されると共に回路基板に接続される基板接続部と、前記接触部を前記基板接続部に対して遊動可能にする可撓連結部とを有する基板取付型電気コネクタにおいて、前記可撓連結部は、前記接触部の一側縁から曲げられた後、前記接触部とほぼ平行な方向に延びる第１延長部と、前記接触部の他側縁から曲げられた後、前記接触部とほぼ平行な方向に前記第１延長部とは逆方向に延びる第２延長部とを有し、前記第１及び第２延長部の少なくとも一方が、前記基板接続部に連結されることを特徴としている。
【００１２】
また、本発明のうち請求項２に係る基板取付型電気コネクタは、請求項１記載の基板取付型電気コネクタにおいて、前記第２ハウジングの上面、両側面及び両端面を覆って前記第２ハウジングの移動を規制する金属製のソルダペグを、前記第１ハウジングに取り付けたことを特徴としている。
【発明の効果】
【００１３】
本発明のうち請求項１に係る基板取付型電気コネクタによれば、可撓連結部は、接触部の一側縁から曲げられた後、前記接触部とほぼ平行な方向に延び第１延長部と、前記接触部の他側縁から曲げられた後、前記接触部とほぼ平行な方向に前記第１延長部とは逆方向に延びる第２延長部とを有し、前記第１及び第２延長部の少なくとも一方が、前記基板接続部に連結されるので、第１及び第２延長部により、接触部に対して直交する方向に接触部が移動でき、当該方向の衝撃を吸収することができる。また、第１延長部及び第２延長部は、接触部と同一平面内に形成されていないので、幅広に形成することが可能になり、コンタクトに比較的大電流を流すことができる。
【００１４】
また、本発明のうち請求項２に係る基板取付型電気コネクタによれば、請求項１記載の基板取付型電気コネクタにおいて、前記第２ハウジングの上面、両側面及び両端面を覆って前記第２ハウジングの移動を規制する金属製のソルダペグを、前記第１ハウジングに取り付けたので、小型で強度の高い金属製のソルダペグにより第２ハウジングの移動を規制でき、第１ハウジング及び第２ハウジング間に第２ハウジングの移動を規制する移動規制部を設ける必要が無く、電気コネクタの小型化を達成することができる。
【発明を実施するための最良の形態】
【００１５】
次に本発明の実施形態を図面を参照して説明する。図１は本発明に係る基板取付型電気コネクタの第１実施形態の斜視図である。図２は図１の基板取付型電気コネクタを示し、（Ａ）は平面図、（Ｂ）は正面図、（Ｃ）は底面図である。図３は図１の基板取付型電気コネクタを示し、（Ａ）は左側面図、（Ｂ）は右側面図、（Ｃ）は（Ａ）の３Ｃ−３Ｃ線に沿う断面図である。図４は図１の基板取付型電気コネクタからソルダペグ及び第２ハウジングを除いた状態を示し、（Ａ）は斜視図、（Ｂ）は平面図である。図５はコンタクトの斜視図である。図６は図５のコンタクトを示し、（Ａ）は平面図、（Ｂ）は正面図、（Ｃ）は底面図である。図７は図５のコンタクトを示し、（Ａ）は左側面図、（Ｂ）は右側面図、（Ｃ）は背面図である。
【００１６】
図１乃至図３において、基板取付型電気コネクタ（以下、単に電気コネクタという）１は、第１ハウジング１０と、第１ハウジング１０上に位置する第２ハウジング２０と、複数（本実施形態においては３個）のコンタクト３０と、金属製のソルダペグ４０とを備えている。
ここで、第１ハウジング１０は、図４によく示すように、前後方向（図４（Ｂ）における上下方向）に縦長に延びる略矩形状に形成され、複数のコンタクト３０を一括して収容するコンタクト収容凹部１１をその上面から凹設している。第１ハウジング１０は、絶縁性の樹脂を成形することによって形成される。コンタクト収容凹部１１の底部には、コンタクト３０の第１圧入固定部（後述する）３５が圧入固定される複数の圧入用孔１２ａが右側壁１０ｂの内側に沿って所定ピッチで形成され、また、コンタクト３０の第２圧入固定部（後述する）３７が圧入固定される複数の圧入用孔１２ｂが左側壁１０ａの内側に沿って所定ピッチで形成されている。また、コンタクト収容凹部１１の底部であって第１ハウジング１０の前端壁１０ｃ及び後端壁１０ｄの内側には、ソルダペグ４０の１対の脚部（後述する）４４のそれぞれが圧入固定される圧入固定用孔１５が形成されている。そして、第１ハウジング１０の前端壁１０ｃ及び後端壁１０ｄの圧入固定用孔１５に対応する位置には、脚部４４のそれぞれの外側折り曲げ部分が外部に突出するための切欠き１７が設けられている。また、第１ハウジング１０の下面には、複数の位置決めポスト１６が突出形成されている。
【００１７】
また、第２ハウジング２０は、前後方向に縦長に延びる略矩形状に形成され、第１ハウジング１０の左側壁１０ａ、右側壁１０ｂ、前端壁１０ｃ及び後端壁１０ｄ上に位置する基台部２１と、基台部２１の上面から上方に突出する突出部２２とを備えている。第２ハウジング２０は、絶縁性の樹脂を成形することによって形成される。突出部２２は、図３（ｃ）によく示すように、基台部２１よりも左右方向の幅が小さくなっており、突出部２２の左右側に肩部２４が形成された形となっている。第２ハウジング２０には、後述するコンタクト３０の第１及び第２接触板部３２ａ，３２ｂが貫通するとともにバーブ３９が係止される複数の圧入係止用通路２３が前後方向に沿って所定ピッチで形成されている。圧入係止用通路２３は、前記前後方向に直交する左右方向に延びている。第２ハウジング２０は、ソルダペグ４０により移動規制がなされるまでは、第１ハウジング１０上において前後方向及び左右方向に移動可能となっている。
【００１８】
また、複数のコンタクト３０は、第１及び第２ハウジング１０，２０に対して前後方向に所定ピッチで配列されている。各コンタクト３０は、図５乃至図７に示すように、左右方向（図５における左右方向）に延びる矩形状の基板部３１と、基板部３１から上方に延びる第１接触板部３２ａと、第１接触板部３２ａの右側縁から折り返し湾曲部３３を介して左方に延び、第１接触板部３２ａに重なる第２接触板部３２ｂとを具備している。各コンタクト３０は、ばね弾性を有する導電性金属板を打抜き及び曲げ加工することによって形成される。第１接触板部３２ａ及び第２接触板部３２ｂのそれぞれの左縁には、バーブ３９が突出形成されている。第１接触板部３２ａ及び第２接触板部３２ｂは、図１乃至図３に示すように、それぞれの先端部が第２ハウジング２０の上面から上方に突出するように、第２ハウジング２０の圧入係止用通路２３を貫通し、バーブ３９が圧入係止用通路２３の一側壁に係止される。これにより、基板部３１と第１接触板部３２ａ及び第２接触板部３２ｂは、第２ハウジング２０に保持されるのである。このとき、第１接触板部３２ａ及び第２接触板部３２ｂの主面は、コンタクト３０の配列方向（前後方向）に直交している。そして、第１接触板部３２ａ及び第２接触板部３２ｂは、雄型接触部として相手バッテリコネクタ（図示せず）の相手コンタクトに受容され、それぞれの外主面が相手コンタクトに接触するようになっている。基板部３１、第１及び第２接触板部３２ａ、３２ｂ、及び折り返し湾曲部３３により請求項１にいう「接触部」を構成する。
【００１９】
また、各コンタクト３０には、基板部３１の左側縁から折り返し湾曲部３４ａを介して基板部３１にほぼ平行に右方に延びる第１延長部３４と、基板部３１の右側縁から折り返し湾曲部３６ａを介して基板部３１にほぼ平行に左方（第１延長部と逆方向）に延びる第２延長部３６とが設けられている。第１延長部３４は、第１及び第２接触板部３２ａ、３２ｂの右側縁よりも右方に至るまで延び、第１延長部３４の右端には第１圧入固定部３５が下方に向けて突出形成されている。一方、第２延長部３６は、第１及び第２接触板部３２ａ、３２ｂの左側縁よりも左方に至るまで延び、第２延長部３６の左端近傍には第２圧入固定部３７が下方に向けて突出形成されている。そして、第２延長部３６の左端には、後方（図６（Ａ）における上方）に向けて折り曲げられた後、下方に向けて延びる連結部３６ｂが設けられ、この連結部３６ｂの下端には左方に向けて折り曲げ形成される基板接続部３８が設けられている。基板接続部３８は、回路基板（図示せず）上に表面実装半田接続される。連結部３６ｂの角部には、図７（Ａ）及び（Ｂ）に示すように、傾斜面３６ｃが形成されている。第１延長部３４及び第２延長部３６の上下方向幅は、基板接続部３８の前後方向幅よりも幅広になっている。
【００２０】
そして、第１延長部３４に設けられた第１圧入固定部３５は、第１ハウジング１０に形成された圧入用孔１２ａに上方から圧入固定され、第２延長部３６に設けられた第２圧入固定部３７は、第１ハウジング１０に形成された圧入用孔１２ｂに上方から圧入固定される。このとき、基板部３１、折り返し湾曲部３４ａ、第１延長部３４、折り返し湾曲部３６ａ、及び第２延長部３６は、コンタクト収容凹部１１の底面上に位置する。そして、連結部３６ｂの後方に延びる折り曲げ部分が第１ハウジング１０の左側壁１０ａに形成された切欠き１３上に位置し、連結部３６ｂの下方向に延びる部分はこの切欠き１３から連続して形成される別個の切欠き１４に位置し、基板接続部３８は第１ハウジング１０の底面とその下面が面一の状態で第１ハウジング１０から左方に突出する。基板接続部３８に連結している第２圧入固定部３７が第１ハウジング１０の圧入用孔１２ｂに圧入固定されることにより、基板接続部３８は第１ハウジング１０に保持されるのである。そして、第１延長部３４に設けられた第１圧入固定部３５が圧入用孔１２ａに圧入固定され、第２延長部３６に設けられた第２圧入固定部３７が圧入用孔１２ｂに圧入固定されることにより、第１延長部３４及び第２延長部３６間の基板部３１が、両折り返し湾曲部３４ａ、３６ａ、第１延長部３４及び第２延長部３６の弾性により、第１ハウジング１０に保持された基板接続部３８に対して、基板部３１の主面に直交するコンタクト３０の配列方向に移動可能となる。このため、基板部３１、第１及び第２接触板部３２ａ、３２ｂ、及び折り返し湾曲部３３で構成された接触部が、基板接続部３８に対して遊動可能となるのである。ここで、請求項１にいう「可撓連結部」は、両折り返し湾曲部３４ａ、３６ａ、第１延長部３４及び第２延長部３６で構成される。
【００２１】
そして、ソルダペグ４０は、図１乃至図３に示すように、略中央部に第２ハウジング２０の突出部２２が貫通可能な開口４２が形成され、第４ハウジング２０の基台部２１上面を覆う上板部４１と、上板部４１の左右方向両端部から第２ハウジング２０の前後端面に沿って折り曲げられこの前後端面を覆う１対の端壁部４３とを備えている。ソルダペグ４０は、金属板を打抜き及び曲げ加工することによって一体に形成される。各端壁部４３の左右方向中央部下縁には、第１ハウジング１０の圧入固定用孔１５に圧入固定される脚部４４が下方に向けて突出形成されている。各端面部４３の上部には、ソルダペグ４０用の圧入治具に押圧される被押圧部４７が突設されている。各脚部４４には、脚部４４から外側に折り曲げられて回路基板上に固定される固定部４５が設けられている。また、前側の端壁部４３の左右両縁には、第２ハウジング２０の基台部２１の左右側面に沿って後方に折り曲げられた１対の左右移動規制片４６ａが設けられている。また、後側の端壁部４３の左右両縁には、第２ハウジング２０の基台部２１の左右側面に沿って前方に折り曲げられた１対の左右移動規制片４６ｂが設けられている。１対の左右移動規制片４６ｂのうち左側の左右移動規制片４６ｂは、図１及び図３（Ａ）に示すように、コンタクト３０の連結部３６ｂを逃げるように斜め上方に延びた後、前方へ延びる。ソルダペグ４０の上板部４１が第２ハウジング２０の基台部２１上を覆うことにより、第２ハウジング２０の上方への過度の移動が規制される。また、ソルダペグ４０の前後の端壁部４３が第２ハウジング２０の前後端面を覆うことにより、第２ハウジング２０の前後方向の過度の移動が規制される。更に、ソルダペグ４０の１対の左右移動規制片４６ａ及び１対の左右移動規制片４６ｂが第２ハウジング２０の左右側面に沿って位置することにより、第２ハウジング２０の左右方向の過度の移動が規制されるのである。
【００２２】
電気コネクタ１は、各コンタクト３０の基板接続部３８及びソルダペグ４０の固定部４５を回路基板上に半田接続することにより、回路基板上に実装される。電気コネクタ１を回路基板上に実装した状態で、相手バッテリコネクタを電気コネクタ１に嵌合すると、相手コンタクトが各コンタクト３０の第１及び第２接触板部３２ａ、３２ｂに接触する。これにより、相手バッテリコネクタと回路基板とが電気的に接続されることになる。
【００２３】
そして、両コネクタが嵌合した状態で、第１及び第２接触板部３２ａ、３２ｂの主面に対して直交する方向（前後方向）に衝撃が加わった場合や、両コネクタの嵌合途中で第１及び第２接触板部３２ａ、３２ｂの主面に対して直交する方向に位置ずれを生じた場合には、第１及び第２接触板部３２ａ、３２ｂと基板部３１とが第２ハウジング２０とともにこの方向に移動する。第１延長部３４に設けられた第１圧入固定部３５が圧入用孔１２ａに圧入固定され、第２延長部３６に設けられた第２圧入固定部３７が圧入用孔１２ｂに圧入固定されることにより、第１延長部３４及び第２延長部３６間の基板部３１が、両折り返し湾曲部３４ａ、３６ａ、第１延長部３４及び第２延長部３６の弾性により、第１ハウジング１０に保持された基板接続部３８に対して、基板部３１の主面に直交するコンタクト３０の配列方向に移動可能となっているからである。このため、接触部に対して直交する方向の衝撃を吸収できる。
【００２４】
一方、第１延長部３４及び第２延長部３６の上下方向幅は、基板接続部３８の前後方向幅よりも幅広になっているので、コンタクト３０に比較的大電流（最大で３Ａ程度の電流）を流すことができる。
また、第２ハウジング２０の基台部２１の上面、左右両側面及び前後両端面を覆って第２ハウジング２０の移動を規制する金属製のソルダペグ４０を、第１ハウジング１０に取り付けたので、小型で強度の高い、例えば半田付け可能なめっきが施された黄銅又はステンレス鋼等の金属製のソルダペグ４０により第２ハウジング２０の移動を規制でき、第１ハウジング１０及び第２ハウジング２０間に第２ハウジング２０の移動を規制する移動規制部を設ける必要が無く、電気コネクタ１の小型化を達成することができる。
【００２５】
次に、本発明に係る基板取付型電気コネクタの第２実施形態を図８乃至図１０を参照して説明する。図８は本発明に係る基板取付型電気コネクタの第２実施形態の斜視図である。図９は図８の基板取付型電気コネクタを示し、（Ａ）は平面図、（Ｂ）は正面図、（Ｃ）は底面図である。図１０は図８の基板取付型電気コネクタを示し、（Ａ）は左側面図、（Ｂ）は右側面図、（Ｃ）は（Ａ）の１０Ｃ−１０Ｃ線に沿う断面図である。図８乃至図１０において、図１乃至図３に示す部材と同一の部材については同一の符号を示してある。
【００２６】
図８乃至図１０に示す基板取付型電気コネクタ（以下、単に電気コネクタという）１は、図１乃至図３に示す電気コネクタ１と基本構成は同一であり、金属製のソルダペグの構成が相違している。
即ち、図１乃至図３に示す電気コネクタ１におけるソルダペグ４０は一体で形成されているのに対して、図８乃至図１０に示す電気コネクタ１におけるソルダペグ４０Ａ，４０Ｂは、２体で形成されている。
【００２７】
一方のソルダペグ４０Ａは、図８乃至図１０に示すように、第２ハウジング２０の前端面に沿ってその前端面を覆う端壁部４２ａと、端壁部４２ａの左右方向両端上縁から後方に向けて折り曲げられて第２ハウジング２０の基台部２１上面を覆う１対の上下移動規制板部４１ａとを備えている。ソルダペグ４０Ａは、金属板を打抜き及び曲げ加工することによって形成される。そして、端壁部４２ａの左右方向中央部下縁には、第１ハウジング１０の圧入固定用孔（図示せず）に圧入固定される脚部４３ａが下方に向けて突出形成されている。各脚部４３ａには、脚部４３ａから外側に折り曲げられて回路基板上に固定される固定部４４ａが設けられている。また、端壁部４２ａの左右両縁には、第２ハウジング２０の基台部２１の左右側面に沿って後方に折り曲げられた１対の左右移動規制片４５ａが設けられている。
【００２８】
また、他方のソルダペグ４０Ｂは、図８乃至図１０に示すように、一方のソルダペグ４０Ａと略対称形状に形成され、第２ハウジング２０の後端面に沿ってその後端面を覆う端壁部４２ｂと、端壁部４２ｂの左右方向両端上縁から前方に向けて折り曲げられて第２ハウジング２０の基台部２１上面を覆う１対の上下移動規制板部４１ｂとを備えている。ソルダペグ４０Ｂは、金属板を打抜き及び曲げ加工することによって形成される。そして、端壁部４２ｂの左右方向中央部下縁には、第１ハウジング１０の圧入固定用孔（図示せず）に圧入固定される脚部４３ｂが下方に向けて突出形成されている。各脚部４３ｂには、脚部４３ｂから外側に折り曲げられて回路基板上に固定される固定部４４ｂが設けられている。また、端壁部４２ｂの左右両縁には、第２ハウジング２０の基台部２１の左右側面に沿って前方に折り曲げられた１対の左右移動規制片４５ｂが設けられている。１対の左右移動規制片４５ｂのうち左側の左右移動規制片４５ｂは、図８に示すように、コンタクト３０の連結部３６ｂを逃げるように斜め上方に延びた後、前方へ延びる。
【００２９】
そして、ソルダペグ４０Ａ，４０Ｂの上下移動規制板部４１ａ，４１ｂが第２ハウジング２０の基台部２１上を覆うことにより、第２ハウジング２０の上方への移動が規制される。また、ソルダペグ４０Ａ，４０Ｂの前後の端壁部４２ａ，４２ｂが第２ハウジング２０の前後端面を覆うことにより、第２ハウジング２０の前後方向の移動が規制される。更に、ソルダペグ４０Ａの１対の左右移動規制片４５ａ及びソルダペグ４０Ｂの１対の左右移動規制片４５ｂが第２ハウジング２０の左右側面に沿って位置することにより、第２ハウジング２０の左右方向の移動が規制されるのである。
【００３０】
本実施形態のように、ソルダペグ４０Ａ，４０Ｂを２体で形成することにより、ソルダペグを一体で形成するよりも、ソルダペグの打抜き時における材料取りが良好となり、製造コストを安価にすることができる。
そして、２体の金属製のソルダペグ４０Ａ，４０Ｂにより、第２ハウジング２０の移動を規制でき、第１ハウジング１０及び第２ハウジング２０間に第２ハウジング２０の移動を規制する移動規制部を設ける必要が無く、電気コネクタ１の小型化を達成することができる。
【００３１】
そして、本実施形態にあっても、両コネクタが嵌合した状態で、第１及び第２接触板部３２ａ、３２ｂの主面に対して直交する方向（コンタクト３０の配列方向）に衝撃が加わった場合や、両コネクタの嵌合途中で第１及び第２接触板部３２ａ、３２ｂの主面に対して直交する方向に位置ずれを生じた場合には、第１及び第２接触板部３２ａ、３２ｂと基板部３１とが第２ハウジング２０とともにこの方向に移動する。このため、接触部に対して直交する方向の衝撃を吸収できる。
また、第１実施形態と同様に、第１延長部（図示せず）及び第２延長部（図示せず）の上下方向幅は、基板接続部３８の前後方向幅よりも幅広になっているので、コンタクト３０に比較的大電流（最大で３Ａ程度の電流）を流すことができる。
【００３２】
以上、本発明の実施形態について説明してきたが、本発明はこれに限定されず、種々の変更、改良を行うことができる。
例えば、「接触部」を基板部３１、第１及び第２接触板部３２ａ、３２ｂ、及び折り返し湾曲部３３により構成したが、「接触部」は、第２ハウジング２０に保持されると共に相手コンタクトに接触するものであればこれらの構成に限られない。
また、第１及び第２接触板部３２ａ、３２ｂを相手コンタクトに受容接触する雄型としたが、相手コンタクトを逆に受容する雌型に構成してもよい。
【００３３】
更に、基板接続部３８は、そして、第２延長部３６に設けられた連結部３６ｂに設けられているが、第１延長部３４に設けてもよく、あるいは第２延長部３６と第１延長部３４の双方に設けてもよい。
また、ソルダペグ４０、４０Ａ，４０Ｂは、第２ハウジング２０の上面、両側面及び両端面を覆うものであれば、図示した例に限られない。
更に、第１及び第２延長部３４，３６の上下方向幅は、必要な通電容量が確保できさえすれば、基板接続部３８の前後方向幅と等しいか、より幅狭であってもよい。
【図面の簡単な説明】
【００３４】
【図１】本発明に係る基板取付型電気コネクタの第１実施形態の斜視図である。
【図２】図１の基板取付型電気コネクタを示し、（Ａ）は平面図、（Ｂ）は正面図、（Ｃ）は底面図である。
【図３】図１の基板取付型電気コネクタを示し、（Ａ）は左側面図、（Ｂ）は右側面図、（Ｃ）は（Ａ）の３Ｃ−３Ｃ線に沿う断面図である。
【図４】図１の基板取付型電気コネクタからソルダペグ及び第２ハウジングを除いた状態を示し、（Ａ）は斜視図、（Ｂ）は平面図である。
【図５】コンタクトの斜視図である。
【図６】図５のコンタクトを示し、（Ａ）は平面図、（Ｂ）は正面図、（Ｃ）は底面図である。
【図７】図５のコンタクトを示し、（Ａ）は左側面図、（Ｂ）は右側面図、（Ｃ）は背面図である。
【図８】本発明に係る基板取付型電気コネクタの第２実施形態の斜視図である。
【図９】図８の基板取付型電気コネクタを示し、（Ａ）は平面図、（Ｂ）は正面図、（Ｃ）は底面図である。
【図１０】図１０は図８の基板取付型電気コネクタを示し、（Ａ）は左側面図、（Ｂ）は右側面図、（Ｃ）は（Ａ）の１０Ｃ−１０Ｃ線に沿う断面図である。
【図１１】従来例の基板取付型電気コネクタの断面図である。
【図１２】従来の他の例の基板取付型電気コネクタの斜視図である。
【図１３】従来の更に他の例の基板取付型電気コネクタの断面図である。
【符号の説明】
【００３５】
１  基板取付型電気コネクタ
１０  第１ハウジング
２０  第２ハウジング
３０  コンタクト
３１  基板部（接触部）
３２ａ  第１接触板部（接触部）
３２ｂ  第２接触板部（接触部）
３３  折り返し湾曲部（接触部）
３４  第１延長部（可撓連結部）
３４ａ  折り返し湾曲部（可撓連結部）
３６  第２延長部（可撓連結部）
３６ａ  折り返し湾曲部
３８  基板接続部
４０，４０Ａ，４０Ｂ  ソルダペグ
【図１】
2005340024.tif 000003
【図２】
2005340024.tif 000004
【図３】
2005340024.tif 000005
【図４】
2005340024.tif 000006
【図５】
2005340024.tif 000007
【図６】
2005340024.tif 000008
【図７】
2005340024.tif 000009
【図８】
2005340024.tif 000010
【図９】
2005340024.tif 000011
【図１０】
2005340024.tif 000012
【図１１】
2005340024.tif 000013
【図１２】
2005340024.tif 000014
【図１３】
2005340024.tif 000015